(57)【要約】【課題】ユーザの意図に沿って装置の省電力化と高速化を行う。【解決手段】テレビ受信機において、まず、ステップＳ１００でリモコンコードを受信すると、ステップＳ１０１において、テレビ受信機の電源はＯＦＦ状態かどうかを判定する。電源がＯＦＦ状態である場合には（Ｙｅｓ）ステップＳ１０２に進み、電源状態を実際に指定されたスタンバイモードにする。すなわち、リモコンを取り出した場合にはスタンバイモード２へ、挿入の場合にはスタンバイモード１の電源状態とする。一方、電源がＯＦＦ状態である場合には（Ｎｏ）ステップＳ１０３に進み、リモコンを取り出した場合にはスタンバイモード２を設定し、挿入の場合にはスタンバイモード１を設定する。但し、指定されたスタンバイモードへの設定のみを行い、実際に電源状態は変更しない。【選択図】図５
2007300251.tif 000002
【特許請求の範囲】
【請求項１】
リモコン装置と、
該リモコン装置により制御可能な電子機器と、
前記リモコン装置を着脱可能に保持するリモコン保持具と、
前記リモコン保持具又は前記リモコン装置のうち少なくとも一方に設けられ前記リモコン装置の着脱動作を検出するリモコン着脱検出部と、
該リモコン着脱検出部の検出結果に基づいて、前記リモコン保持具に前記リモコン装置が装着された旨が検出された場合には前記電子機器のスタンバイモードを最低限維持するのに必要なハードウェアのみに電力を供給する第１のスタンバイモードに設定し、前記リモコン装置が前記リモコン保持具から取り出された旨が検出された場合には、前記第１のスタンバイモードよりも多くのハードウェアに電力を供給する第２のスタンバイモードに設定する制御を行うことを特徴とする電子機器システム。
【請求項２】
前記リモコン着脱検出部は、前記リモコン保持具の、前記リモコン装置を保持した場合に影となる位置に設けられた光センサを含むことを特徴とする請求項１に記載の電子機器システム。
【請求項３】
前記リモコン着脱検出部は、前記リモコン装置の、前記リモコン保持具により保持された場合に影となる位置に設けられた光センサを含むことを特徴とする請求項１に記載の電子機器システム。
【請求項４】
前記リモコン保持具は、前記リモコン着脱検出部により検出された前記リモコン装置の着脱情報を前記電子機器に送信する送信部を有することを特徴とする請求項１から３までのいずれか１項に記載の電子機器システム。
【請求項５】
前記リモコン装置の傾きを検出する傾き検出部を有することを特徴とする請求項１から４までのいずれか１項に記載の電子機器システム。
【請求項６】
電子機器を制御可能なリモコン装置を着脱可能に保持するリモコン保持具であって、
前記リモコン装置の着脱動作を検出するリモコン着脱検出部と、
該リモコン着脱検出部の検出結果に基づいて、前記リモコン保持具に前記リモコン装置が装着された旨が検出された場合には前記電子機器のスタンバイモードを最低限維持するのに必要なハードウェアのみに電力を供給する第１のスタンバイモードに設定し、前記リモコン装置が前記リモコン保持具から取り出された旨が検出された場合には、前記第１のスタンバイモードよりも多くのハードウェアに電力を供給する第２のスタンバイモードに設定する制御を行わせるための指示を前記電子機器に対して送信する送信部と
を有することを特徴とするリモコン保持具。
【請求項７】
リモコン保持具に着脱可能に保持されるリモコン装置により制御可能な電子機器の制御方法であって、
前記リモコン装置の着脱動作を検出するステップと、
検出結果に基づいて、前記リモコン保持具に前記リモコン装置が装着された旨が検出された場合には前記電子機器のスタンバイモードを最低限維持するのに必要なハードウェアのみに電力を供給する第１のスタンバイモードに設定し、前記リモコン装置が前記リモコン保持具から取り出された旨が検出された場合には、前記第１のスタンバイモードよりも多くのハードウェアに電力を供給する第２のスタンバイモードに設定する制御を行うステップと
を有することを特徴とする電子機器の制御方法。
【請求項８】
請求項７に記載のステップをコンピュータに実行させるためのプログラム。
【発明の詳細な説明】
【技術分野】
【０００１】
本発明は、リモコン装置を用いた電子機器システムに関する。
【背景技術】
【０００２】
電子機器の使い勝手を良くするために、リモコン装置が利用される。リモコン操作を迅速に反映するための技術として、例えば、リモコン装置に傾き検出部を設ける技術が開示されている（特許文献１参照）。
【０００３】
特許文献１に記載の技術は、テレビ等の電子機器の電源ON/OFFを制御する電源制御装置に対して、リモコンの傾きが検出された場合、制御アダプタへ電源ONを示す信号を送信する。リモコンの傾きが所定時間検出されず、全ての機器が電源OFFの場合、電源制御アダプタに電源OFF送信する。さらに、リモコンの傾きが所定時間検出されず、タイマーで所定の時間以降と判断されると、電源制御アダプタに電源OFF送信して、機器の電源をOFFにする。
【０００４】
【特許文献１】特開２０００―３７０４５号公報
【発明の開示】
【発明が解決しようとする課題】
【０００５】
しかしながら、特許文献１に記載の技術では、リモコンの傾きが所定期間検出されないことを判定して電源OFFを行なう。従って、深夜番組を視聴している場合など、ユーザの意図しない時にも電源OFFが行なわれる可能性があるという問題がある。
本発明は、ユーザの意図に沿って装置の省電力化と高速化を行うことを目的とする。
【課題を解決するための手段】
【０００６】
テレビ受信機の待機電力モードと起動時間をユーザの意図に沿って制御するため、テレビ受信機のリモコン台に、リモコン着脱検出部とリモコンコード送信部とを設ける。テレビには２つのスタンバイモードを設ける(モード１:待機電力小だが起動が遅い。モード２:待機電力大だが起動は速い)。リモコンがリモコン台に装着された場合にはモード１に設定するための信号をリモコン台からテレビに送信。リモコンがリモコン台から取り出された時にはモード２の信号を送信するように制御する。
【発明の効果】
【０００７】
本発明によれば、リモコン台への着脱により、テレビのスタンバイモードを切り換えるので、ユーザの意図を的確に反映させることができる。ユーザが電源オンしようとしてリモコン台から取り出してリモコンの電源ボタンを押す場合、リモコン台から取り出した時点でモード２にするので起動が速くなる。このように、リモコン装置の使い勝手が向上するという利点がある。
【発明を実施するための最良の形態】
【０００８】
以下、本発明の一実施の形態によるリモコン装置およびそれを用いたテレビ受信機について図面を参照しながら説明を行う。
【０００９】
図１は、本実施の形態によるリモコン装置の一構成例を示す機能ブロック図である。図２は、本実施の形態によるテレビ受信機の一構成例を示す機能ブロック図である。図３は、本実施の形態によるリモコン装置およびリモコン装置台の外観構成例を示す図である。図５は、リモコン台の一構成例を示す機能ブロック図である。図６は、テレビ受信機のリモコンコード受信時の動作の流れの例を示す図である。
【００１０】
図１に示すように、リモコン装置２０１は、リモコン操作を行うための操作ボタンなどを含む操作部１２と、リモコンコードをテレビ受信機１０１に送る送信部１４と、リモコン台２０２とのインターフェイスを形成するインターフェイス部１３と、全体を制御する制御部１１と、を有している。操作部１２により操作が行われると、送信部１４からリモコンコードがテレビ受信機１０１に向けて送られ、テレビ受信機の遠隔操作を行うことができる。また、インターフェイス部１３により、リモコン装置１のリモコン台２０２からの着脱などの動作に応じて、その動作が生じたことをリモコン装置２０１の送信部１４を介してテレビ受信機１０１に伝えることができる。
【００１１】
図２に示すように、本実施の形態によるテレビ受信機１０１は、チューナ部１０２と、デスクランブル部１０３と、ＭＰＥＧデコード部１０４と、ＡＶエンコード部１０５と、モニター（表示部）１０６と、メインＣＰＵ１０７と、メモリ１０８と、を有する第１グループ１１８と、モニター１０６のみを有する第２のグループと、リモコン受光部１０９とサブＣＰＵ１１０と、電源回路１１１と、を有する第３グループと、を有している。
【００１２】
第３グループはテレビで常時通電が必要となる最低限のブロックであり、リモコン受光部１０９でユーザからのリモコン信号を常時受け付け、サブＣＰＵ１１０ではリモコン信号の解読を行いながら電源回路１１１の制御やメインＣＰＵ１０７との通信を行う。
【００１３】
上記構成において、テレビ受信機１０１のスタンバイモードとして、モニター（ディスプレイ：第２のグループ）１０６への電力供給のみを停止するスタンバイモード２(待機電力が大きく、起動は速い)と、例えば第１グループ１１８の全ての部品への電力供給を停止するスタンバイモード１(待機電力が小さく、起動が遅い)と、が設けられている。
【００１４】
図３、図５に示すように、本実施の形態によるリモコン台２０２は、リモコン２０１を収容するリモコン収容部２０２ｂと、リモコンが収容されているかどうかを判定する例えばリモコン収容部２０２ｂの内面に設けられた光センサ（リモコン挿抜検出部）２０２ｃと、リモコン挿抜検出部２０２ｃの検出結果をリモコンコードとして送信するリモコンコード送信部２０２ａと、を有している。尚、光センサ２０２ｃのみでは、リモコン台２０２にリモコン２０１が挿入されているか否かの判定およびそのタイミングの検出のみが可能であるが、タイミングの検出時に光センサ２０２ｃの受光量が増加するか減少するかに基づいて、増加すればリモコン装置が抜かれたものと判断し、減少すればリモコン装置が入れられたものと判断することが可能である。
【００１５】
リモコン台２０２にリモコン２０１が装着された場合には、ユーザがテレビの視聴を終えたか、若しくは、落ち着いて視聴しようとしていると判断できる。そこで、テレビ受信機１０１のスタンバイモードモード１、すなわち、グループ１１８内の回路への電力供給を停止するように信号を送信し、待機電力を小さくする。この時、テレビ受信機１０１（図２）は電源ＯＦＦ状態であれば、実際にスタンバイモード１の電源状態までもっていく。一方、電源ＯＮ状態であれば、テレビ受信機１０１を視聴中であると推定できるためスタンバイモード１の電源状態への設定変更のみを行い、実際の電源状態は変更しない。このような設定状態で、さらにリモコン台２０２からリモコン２０１が取り出された旨の検出時には、ユーザはテレビ受信機１０１に関する何らかの操作をしようとしていると判断できる。そこで、テレビのスタンバイモードをモニター１０６にのみ電源を供給しないで他のグループ１１８には電力を供給するスタンバイモード２にするように信号を送信する。この時、テレビ受信機１０１が電源オフ状態であれば、実際にスタンバイモード２の電源オフ状態まで電源を立ち上げておく処理を行うことで装置の起動を早くすることができる。一方、電源オン状態であれば、スタンバイモード２の電源状態への設定の変更のみを行い、実際の電源状態は変更しない。
【００１６】
尚、電源オン状態では、実際の電源状態は変更しないが、リモコン台２０２へのリモコン２０１の挿抜を再度行なうまでは上記設定が有効のままである。従って、ユーザが直ぐに視聴を再開するなどの理由でリモコン台にリモコンを装着せずに電源オフした場合にも次の電源オンでは直ぐに起動できる。また、テレビの省電力機能としてユーザ操作が決まった時間無ければ自動的にオフしたり、入力信号が無信号になったら自動的にオフしたりする機能が付いている場合には、リモコン台にリモコンを置いて視聴していると、自動オフが働いた場合にはスタンバイモード１の電源オフ状態に落とすことができ、省電力となる。
【００１７】
上記の処理を図６にまとめると、本実施の形態によるテレビ受信機において、まず、ステップＳ１００でリモコンコードを受信すると、ステップＳ１０１において、テレビ受信機の電源はＯＦＦ状態かどうかを判定する。電源がＯＦＦ状態である場合には（Ｙｅｓ）ステップＳ１０２に進み、電源状態を実際に指定されたスタンバイモードにする。すなわち、リモコン２０１を取り出した場合にはスタンバイモード２へ、挿入の場合にはスタンバイモード１の電源状態とする。一方、電源がＯＦＦ状態でない場合には（Ｎｏ）ステップＳ１０３に進み、リモコン２０１を取り出した場合にはスタンバイモード２を設定し、挿入の場合にはスタンバイモード１を設定する。但し、指定されたスタンバイモードへの設定のみを行い、実際に電源状態は変更しない。
【００１８】
以上に説明したように、本実施の形態によれば、リモコン台へのリモコンの着脱の検出により、テレビ受信機のスタンバイモードを切り換える制御を行うため、リモコンの着の場合には、しばらくはテレビ受信機を視聴しないと推定されるため、消費電力の小さいスタンバイモードとし、リモコンの脱の場合には、テレビ受信機を視聴する動作と推定されるため、起動の早いスタンバイモードとすることで、ユーザの意図を的確に反映させることができる。特に、ユーザが電源オンしようとしてリモコン台から取り出してリモコンの電源ボタンを押す場合、リモコン台から取り出した時点でスタンバイモード２になっているので起動が速いという利点がある。
【００１９】
尚、リモコン装置の着脱に関する検出結果をテレビ受信機に知らせるための送信部は、リモコン装置側に設けられていても良い。
【００２０】
次に、本発明の第１の実施の形態の変形例によるテレビ受信システムについて図４を参照しながら説明を行う。図４に示すように、本変形例によるテレビ受信システムにおける光センサは、リモコン台２０２の方ではなく、リモコン装置２０１の方に設けられている。この構成の場合でも、リモコン装置２０１をリモコン台２０２から着脱することで、光センサ２０２ｃがそれを検出し、上記と同様に制御を行うことができる。
【００２１】
次に、本発明の第２の実施の形態によるテレビ受信システムについて図面を参照しながら説明を行う。図７は、本実施の形態によるリモコン装置の一構成例を示す図であり、図１に対応する図である。図７に示すように、図１の構成にリモコン装置の傾きを検出する傾き検出部１５を備えている。
【００２２】
第１の実施の形態において説明したように、タイミングの検出時に光センサ２０２ｃの受光量が増加するか減少するかに基づいて、増加すればリモコン装置が抜かれたものと判断可能であり、減少すればリモコン装置が入れられたものと判断可能である。しかしながら、特にリモコンが抜かれた状態において、室内の照明のオン・オフなどによる照明光の増減をリモコンの抜き差しに起因するものと誤って判断する可能性がある。そこで、リモコン装置の傾きを検出する傾き検出部１５を追加することで、リモコン装置２０１の傾きが検出され、かつ、光量が増加した場合に、リモコン装置２０１がリモコン台から抜かれたものと判断する場合の精度を向上させることができる。
【００２３】
尚、上記の各実施の形態においては、リモコン装置のリモコン台からの抜き差しに関して光センサによりセンシングする例について説明したが、周知の機械的なスイッチを例えばリモコン台の内壁に設けておくことにより、リモコンの抜き差しを判定するようにしても良い。
【産業上の利用可能性】
【００２４】
本発明は、テレビ受信機とリモコン装置を含むテレビ受信システムに利用可能である。
【図面の簡単な説明】
【００２５】
【図１】本発明の第１の実施の形態によるテレビ受信システムにおけるリモコン装置の一構成例を示す機能ブロック図である。
【図２】本実施の形態によるテレビ受信機の一構成例を示す機能ブロック図である。
【図３】本実施の形態によるテレビ受信システムの利用形態を示す図である。
【図４】本実施の形態の変形例によるテレビ受信システムの利用形態を示す図である。
【図５】リモコン台の構成例を示す機能ブロック図である。
【図６】テレビ受信機がリモコンの抜き差しに関するリモコンコードを受信した場合の処理の流れを示すフローチャート図である。
【図７】本発明の第２の実施の形態によるテレビ受信システムにおけるリモコン装置の一構成例を示す機能ブロック図である。
【符号の説明】
【００２６】
２０１…リモコン装置、１２…操作部、１０１…テレビ受信機１０１、１４…送信部、２０２…リモコン台、１３…インターフェイス部、１４…制御部、１０２…チューナ部、１０３…デスクランブル部、１０４…ＭＰＥＧデコード部、１０５…ＡＶエンコード部、１０６…モニター（表示部）、１０７…メインＣＰＵ、１０８…メモリ、１１８…第１グループ、１０９…リモコン受光部、１１０…サブＣＰＵ、１１１…電源回路。
【図１】
2007300251.tif 000003
【図２】
2007300251.tif 000004
【図３】
2007300251.tif 000005
【図４】
2007300251.tif 000006
【図５】
2007300251.tif 000007
【図６】
2007300251.tif 000008
【図７】
2007300251.tif 000009